【手続補正書】
【提出日】平成20年9月30日(2008.9.30)
【手続補正１】
【補正対象書類名】特許請求の範囲
【補正対象項目名】全文
【補正方法】変更
【補正の内容】
【特許請求の範囲】
【請求項１】
受信した放送信号をトランスポートストリームの形で放送信号トランスポートストリームとして送信側のエッジルータを介して受信端末へマルチキャスト配信するステップと、
前記受信した放送信号から取得したＳＩ（Service Information）を、前記放送信号と同様にトランスポートストリームの形で前記放送信号トランスポートストリームとは異なるＳＩトランスポートストリームとして前記送信側のエッジルータを介して受信端末へマルチキャスト配信するステップと、
受信端末からの要求に応じて前記ＳＩトランスポートストリームを受信するのに必要な情報であるサービスエリア選局リストを前記送信側のエッジルータを介して前記受信端末へユニキャスト配信するステップと、
を有することを特徴とするＩＰ放送の送信方法。
【請求項２】
放送局からの放送信号から取得したＳＩ（Service Information）が多重されたＳＩトランスポートストリームを受信するのに必要な情報であるサービスエリア選局リストを送信側のエッジルータを介して送信側のサーバに要求するステップと、
この要求に応じて前記送信側のサーバから前記エッジルータを介してユニキャスト配信された、前記サービスエリア選局リストを受信するステップと、
この受信した前記サービスエリア選局リストを用いて、放送信号がトランスポートストリームの形で前記送信側のサーバからマルチキャスト配信されているＳＩトランスポートストリームを前記エッジルータへ取得要求することにより、このエッジルータから前記ＳＩトランスポートストリームを受信するステップと、
この受信した前記ＳＩトランスポートストリームから得たＳＩ情報を用いて、放送信号がトランスポートストリームの形で前記送信側のサーバからマルチキャスト配信されている放送信号トランスポートストリームを前記エッジルータから受信するステップと、
を有することを特徴とするＩＰ放送の受信方法。
【請求項３】
更に、前記受信した放送信号トランスポートストリームを再生した番組を表示手段に表示するステップと
を有することを特徴とする請求項２記載のＩＰ放送の受信方法。
【手続補正２】
【補正対象書類名】明細書
【補正対象項目名】発明の名称
【補正方法】変更
【補正の内容】
【発明の名称】ＩＰ放送の送信方法
【手続補正３】
【補正対象書類名】明細書
【補正対象項目名】０００１
【補正方法】変更
【補正の内容】
【０００１】
この発明は、ＩＰ放送の送信方法に関し、例えばInternet Protocol(ＩＰ)放送を行なう場合にエッジルータの負担を軽減できるように工夫したものである。
【手続補正４】
【補正対象書類名】明細書
【補正対象項目名】０００３
【補正方法】変更
【補正の内容】
【０００３】
ＩＰ放送では、今後、地上デジタル放送の再送信も想定される。デジタル放送では一般にチャンネル選局情報や番組情報は、番組の映像音声信号とともにMPEG-2 systems規定のTS(Transport Stream)という形式の中に、放送信号として多重伝送される。チャンネル選局情報や番組情報の符号化伝送方式は番組配列情報としてARIB STD-B10で規定されており、ＳＩ(Service Information)とも呼ばれる各種の情報テーブルから構成される。
【手続補正５】
【補正対象書類名】明細書
【補正対象項目名】０００６
【補正方法】変更
【補正の内容】
【０００６】
特に地上デジタル放送の場合には、各放送局は自局の放送信号に自局のＳＩのみを多重伝送する。このため、受信機は、例えば電源投入後など適宜、サービスエリア内で受信可能な放送局を順次チャンネルサーチしていき、これらのチャンネル選局情報や番組情報などのＳＩを取得、更新処理を行っている。つまりサービスエリア内に受信可能な複数の放送局が有る場合、受信機は、複数の放送局をチャンネルスキャンし、各放送局のＳＩを取得する。なお、ここでは不明なチャンネルを探すときを「チャンネルサーチ」とし、既知の放送のチャンネルを順次切り替えるのを「チャンネルスキャン」としている。
【手続補正６】
【補正対象書類名】明細書
【補正対象項目名】００１１
【補正方法】変更
【補正の内容】
【００１１】
上記の目的を達成するためにこの発明の一実施の形態においては、受信した放送信号をトランスポートストリームの形で放送信号トランスポートストリームとして送信側のエッジルータを介して受信端末へマルチキャスト配信するステップと、前記受信した放送信号から取得したＳＩ（Service Information）を、前記放送信号と同様にトランスポートストリームの形で前記放送信号トランスポートストリームとは異なるＳＩトランスポートストリームとして前記送信側のエッジルータを介して受信端末へマルチキャスト配信するステップと、受信端末からの要求に応じて前記ＳＩトランスポートストリームを受信するのに必要な情報であるサービスエリア選局リストを前記送信側のエッジルータを介して前記受信端末へユニキャスト配信するステップと、を有することを特徴とする。
【手続補正７】
【補正対象書類名】明細書
【補正対象項目名】００１２
【補正方法】削除
【補正の内容】
【手続補正８】
【補正対象書類名】明細書
【補正対象項目名】００２３
【補正方法】変更
【補正の内容】
【００２３】
サービスエリア選局リストは、放送信号のＩＰマルチキャスト配信情報とチャンネル選局情報及び番組情報の配信場所とを記述した情報である。受信端末３１は、サービスエリア選局リストの中から、ＩＰマルチキャスト配信情報を抽出し、受信条件を設定することができる。さらにまた受信端末３１は、サービスエリア選局リストの中から、チャンネル選局情報、番組情報の配信場所の情報を参照し、チャンネル選局情報、及び番組情報を取得することができる。
【手続補正９】
【補正対象書類名】明細書
【補正対象項目名】００４４
【補正方法】変更
【補正の内容】
【００４４】
図４には、サービスエリア選局リストのデータ構造の一例を示す。サービスエリア選局リスト内の情報としては、サービスエリア識別（４−１）、リスト自体のバージョン番号（４−２）、このエリアにおいて伝送されるチャンネル数（４−３）がある。
【手続補正１０】
【補正対象書類名】明細書
【補正対象項目名】００７０
【補正方法】変更
【補正の内容】
【００７０】
また、この例では電源オン時を基に説明したが、当該サービスのネットワーク接続時でもよい。
【手続補正１１】
【補正対象書類名】明細書
【補正対象項目名】００７８
【補正方法】変更
【補正の内容】
【００７８】
図１１に示すように、第1の実施形態の番組情報配信サーバ２５が、チャンネル選局情報／番組情報配信サーバ２５に変わっている。このチャンネル選局情報／番組情報配信サーバ２５は、各放送局の放送信号から取得したＳＩを再多重し、放送信号と同様に、ＴＳ（ＳＩ専用ＴＳ）の形でマルチキャスト配信する構成となっている。この場合、サービスエリア選局リストは、たとえば図４における各ＳＩの配置場所を示すＵＲＬ（４−８〜４−１１）の代わりにＳＩ専用ＴＳに付与されるトランスポートストリーム識別子ＴＳid（４−５に相当）と、対応するＩＰ伝送情報（４−６に相当）を記載することになる。